(57)【要約】【課題】  表面に写真等の印刷スペースと印刷に関連する人のサインスペースを設けた紙挟みクリップを提供する。【解決手段】  表側挟み板２と裏側挟み板３とを蝶番構造部４で一体に連結した紙挟みクリップ１の裏面に磁石を設け、表面に写真などを印刷した印刷部６１とサインスペース６２とを設定した装飾部６を設ける。【選択図】  図１
0003110718.tif 000002
【実用新案登録請求の範囲】
【請求項１】
表裏一対の挟み板が蝶番構造により一体に連結され、一対の挟み板の間にバネ部材を配して一対の挟み板の一端側を挟圧及び挟圧解放することにより他端側が開閉するように構成されてなる紙挟みクリップであって、
表側挟み板の外表面の一方寄りに印刷が施され、他方寄りにサイン記入用のスペースが設けられてなることを特徴とする紙挟みクリップ。
【請求項２】
裏側挟み板の外表面に、板状磁石が貼着されてなる請求項１に記載の紙挟みクリップ。
【請求項３】
着脱可能にサイン用の筆記具が装着されてなる請求項１又は２に記載の紙挟みクリップ。
【考案の詳細な説明】
【技術分野】
【０００１】
本考案は、紙などを挟んで壁面に吸着させることができる紙挟みクリップに関するものである。
【背景技術】
【０００２】
一対の挟み板を蝶番構造により連結すると共に一対の挟み板の間に与えられた弾性付勢により一対の挟み片の一方端側が当接し、他方端側を挟圧することにより付勢に抗して当接した一方端側が開くようにした構造は多くの紙挟みクリップの構造として周知のところである。更に、一方の挟み片に永久磁石を固着して紙挟みクリップを強磁性体を芯材として形成されたホワイトボードやスチール家具、冷蔵庫等に吸着させ、吸着部で紙を挟み込むようにした紙挟みクリップも周知のものである。
【０００３】
また、挟み片の表面にマークや写真、模様などを印刷あるいはマークや模様などを印刷した銘板又はシールを貼り付けて外観性を向上させたり、企業名やブランド名等を印刷した宣伝広告の媒体として利用したものも知られている。
【考案の開示】
【考案が解決しようとする課題】
【０００４】
紙挟みクリップの表面に写真やマークなどを印刷したとき、それに関連する人のサインが欲しい場合がある。例えば、芸能人やスポーツ選手の顔写真を印刷して、当人のサインが同一スペースにもらえるとファンとしては格好の記念品となる。
【０００５】
本考案が目的とするところは、印刷を施すスペースに加えてサインを記入するスペースを表面に設けた紙挟みクリップを提供することにある。
【課題を解決するための手段】
【０００６】
上記目的を達成するための本考案は、表裏一対の挟み板が蝶番構造により一体に連結され、一対の挟み板の間にバネ部材を配して一対の挟み板の一端側を挟圧及び挟圧解放することにより他端側が開閉するように構成されてなるクリップであって、表側挟み板の外表面の一方寄りに印刷が施され、他方寄りにサイン記入用のスペースが設けられてなることを特徴とする。本構成によれば、表側挟み板の外表面に印刷スペースに加えて、印刷スペースに印刷された写真やマークに関連する人のサインを記入できるサインスペースが設けられているので、写真と当人のサインの組み合わせなどを施した紙挟みクリップを実現できる。
【０００７】
上記構成において、裏側挟み板の外表面に、板状磁石を貼着して構成することにより、写真とサインなどの組み合わせを施した紙挟みクリップをスチール家具や冷蔵庫等に吸着して飾ることができる。
【０００８】
また、サインに必要不可欠な筆記具を紙挟みクリップに着脱可能に装着することにより、サインがもらえる状況に即応することができる。
【考案の効果】
【０００９】
本考案によれば、表面に印刷スペースに加えて、印刷スペースに印刷された写真やマークに関連する人のサインを記入できるサインスペースが設けられているので、写真と当人のサインの組み合わせなどを施した紙挟みクリップを実現できる。
【考案を実施するための最良の形態】
【００１０】
以下、添付図面を参照して本考案に係る紙挟みクリップの実施形態について説明する。図１〜図３に示すように、本実施形態に係る紙挟みクリップ１は、略矩形形状に形成された表側挟み板２と裏側挟み板３とを蝶番構造部４で互いに連結し、対向間にバネ部材５（図３参照）を配して構成されている。バネ部材５の付勢により表側挟み板２及び裏側挟み板３それぞれの挟圧部２１，３１側が蝶番構造部４を回動支点として外側に開き、紙挟み部２２，３２が互いに当接した状態になるので、挟圧部２１，３１を両側から指で挟圧すると、バネ部材５の付勢に抗して紙挟み部２２，３２の当接間が開くので、開いた紙挟み部２２，３２の間にクリッピングする紙を挿入し、挟圧部２１，３１の間の挟圧を解除すると、紙挟み部２２，３２の間で紙を挟持することができる。
【００１１】
図３に示すように、前記蝶番構造部４は、表側挟み板２及び裏側挟み板３それぞれの短手方向略中央部から互いに対向する方向に突出させた係合部４１を重なり合わせ、一方の突起を他方の穴に嵌挿して枢支することにより、表側挟み板２と裏側挟み板３とを蝶番構造部４を回動支点として開閉させることができる。また、表側挟み板２及び裏側挟み板３それぞれの長手方向の中央部にはＵの字状に折り曲げた板バネで形成されたバネ部材５が配設されているので、バネ部材５の付勢により表側挟み板２及び裏側挟み板３それぞれの挟圧部２１，３１側が蝶番構造部４を回動支点として外側に開き、紙挟み部２２，３２が互いに当接した状態となる。
【００１２】
前記表側挟み板２の外表面には、写真やマーク、模様等を印刷した印刷部６１と、サイン等を書き込むサインスペース６２とを設定した装飾部６が設けられている。図１及び図２では、印刷部６１は左側に、サインスペース６２は右側に設定しているが、それぞれの位置や面積は装飾部６内で任意に設定することができる。また、前記裏側挟み板３の外表面には、図２に示すように、板状磁石７が貼着されているので、紙挟みクリップ１をスチール家具や冷蔵庫、あるいは芯材として鋼板が用いられているホワイトボードなどに磁気吸着させることができる。吸着は紙挟みクリップ１自体の固定だけでなく、吸着部分に紙を挟み込んで壁面に紙を固定する用に供することもできる。
【００１３】
前記サインスペース６２の使い方は任意であるが、例えば、印刷部６１に印刷された芸能人やプロスポーツ選手のファンである人は、その芸能人やプロスポーツ選手のサインをサインスペース６２に記入してもらうことに利用することができる。サインする側は自分の写真が存在する面にサインするので、気持ちよくサインに応じてもらえるはずである。また、図２に示すように、プロ野球チームのマークを印刷部６１に印刷した紙挟みクリップ１では、そのチームの選手にサインを依頼するのに好適なものとなる。写真やマークとそれに関係する人のサインが入った紙挟みクリップ１は、ファンにとっては最高の記念品となり、この紙挟みクリップ１を板状磁石７により壁面に貼着すると、装飾物としても好ましいものとなる。
【００１４】
装飾部６の利用は、上述のように印刷部６１とサインスペース６２とで構成するのが基本であるが、全面を印刷部６１とすることも、全面をサインスペース６２とすることも可能である。また、装飾部６をコマーシャルスペースとして、宣伝する商品や企業のロゴマーク、コマーシャルメッセージ等を印刷すると、広告宣伝物（ノベルティグッズ）として有効に利用することができる。
【００１５】
前記サインスペース６２にサインを依頼するときには、それに適した筆記具（フェルトペンが好適）が不可欠となるので、図４に示すように、紙挟みクリップ１と筆記具８とを一体にして携帯できるようにするのが好適な構成となる。
【００１６】
図１〜図３に示すように、表側挟み板２及び裏側挟み板３それぞれの紙挟み部２２，３２側の両側面には、それらが閉じているときに円形の穴９ができるように形成されているので、それに筆記具８を挟んで紙挟みクリップ１と筆記具８とを一体化することができる。しかし、紙挟みとしての機能が損なわれるので、図４に示すように、表側挟み板２及び裏側挟み板３それぞれの紙挟み部２２，３２側の両側面に、穴９とは別に筆記具８の軸部直径に対応する筆記具装着穴１０を形成し、そこに筆記具８を挿入して、いつでも筆記具８を取り出せるように構成することができる。また、筆記具８のキャップ部分を紙挟みクリップ１内に固定し、軸部分だけが引き出せるように構成すると、筆記具８により即座にサインを依頼できる状態を整えることができる。
【００１７】
以上説明した実施形態の紙挟みクリップ１は、平面形状を矩形に形成しているが、正方形や楕円形など任意の形状に形成することもできる。また、紙挟みとしての形態についても任意の外観意匠及び構造に形成することができる。
【産業上の利用可能性】
【００１８】
以上の説明の通り本考案によれば、表面に印刷スペースに加えて、印刷スペースに印刷された写真やマークに関連する人のサインを記入できるサインスペースが設けられているので、写真と当人のサインの組み合わせなどを施した紙挟みクリップを実現できる。
【図面の簡単な説明】
【００１９】
【図１】実施形態に係る紙挟みクリップの構成を示す斜視図。
【図２】同上紙挟みクリップの（ａ）は正面図、（ｂ）は側面図、（ｃ）は背面図。
【図３】同上紙挟みクリップのＡ−Ａ線矢視断面図。
【図４】同上紙挟みクリップに筆記具装着穴を設けた構成（ａ）と筆記具装着状態（ｂ）を示す斜視図。
【符号の説明】
【００２０】
１  紙挟みクリップ
２  表側挟み板
３  裏側挟み板
４  蝶番構造部
５  バネ部材
６  装飾部
７  板状磁石
８  筆記具
１０  筆記具装着穴
２１，３１  挟圧部
２２，３２  紙挟み部
６１  印刷部
６２  サインスペース
【図１】
0003110718.tif 000003
【図２】
0003110718.tif 000004
【図３】
0003110718.tif 000005
【図４】
0003110718.tif 000006